(57)【特許請求の範囲】
【請求項１】
学童用の上履きであって、ポリエステルメッシュの甲被材及び中底を袋状に縫い合わせたアッパー部と、靴底の上面に凹部を形成すると共にこの凹部の表裏を貫通する孔及びこの孔と連通させるように該凹部の内面位置より突出する管を設け、さらに前記凹部を区画する区画壁を該管よりさらに高く設けたアウトソール部と、を備えると共に、アウトソール部の上面に前記中底の外底面と同一形状の金網を介在させて、アッパー部と一体化したことを特徴とする上履き。
【請求項２】
ポリエステルメッシュの上素材と表裏を貫通した複数の孔が形成されたＥＶＡの下素材とを貼り合わせた取替え可能な中敷きを有することを特徴とする請求項１記載の上履き。
【請求項３】
アッパー部における甲被材のつま先部と踵部に補強材料を設けると共に、つま先部の補強材料においては上面部位に、踵部の補強材料においては所定高さ位置に、各々複数の孔を形成したことを特徴とする請求項１又は２記載の上履き。
【請求項４】
アッパー部における甲被材の足首部に、ＥＶＡを用いてこのＥＶＡをポリエステルメッシュで包み込んだ緩衝部を設けたことを特徴とする請求項１〜３のいずれかに記載の上履き。
【発明の詳細な説明】
【技術分野】
【０００１】
本発明は、従来の技術を見直して靴全体として通気性及び速乾性を向上させた上履きに関するものである。
【背景技術】
【０００２】
靴、特に学童用のいわゆる上履きは、大抵は週に１回、週末に家に持って帰って洗うようにしている場合が多い。また、上履きは、週末に家に持って帰って洗うまでの週中、学校にいる間は長時間履いていることになる。
【０００３】
したがって、まず、上履きは、学校にいる間の長時間しかも土、日、祝日などを除いた毎日履いていることから、靴内部の衛生面や健康面からみて通気性に富むことが望ましい。一方、家に持って帰って洗うのはおよそ土、日で、このタイミングで洗って乾燥させることからはなるべく速く乾くことが望ましい。以上のことから、学童用の上履きは、通気性と速乾性に富むことが要求されていた。
【０００４】
従来、靴の通気性と速乾性の向上に関する技術として以下の文献が知られている。例えば特許文献１，５には、通気性を確保するために、靴の中敷に表裏を貫通する孔や足裏との密着を避けるための溝を形成することが示されている。
【０００５】
例えば特許文献２，３には、洗ったりした際の乾燥性を向上させるために、靴の甲素材について合成繊維を用い、かつフッ素によるはっ水処理をすることが示されている。
【０００６】
例えば特許文献４には、通気性を確保するために、靴底について内外を貫通する複数の孔を形成することが示されている。
【０００７】
例えば特許文献６には、通気性と速乾性の向上のために、靴の甲素材に複数の孔を形成することが示されている。
【０００８】
これら特許文献１〜６に示される技術を採用すれば、要請される通気性と速乾性の向上した上履きが実現可能と思われるが、次の問題がある。
【０００９】
特許文献４，６をそのまま採用しても、速乾性に注力し過ぎてそもそも水が靴内部に侵入してしまうという問題がある。また、特許文献２，３においては、確かにはっ水処理が施されている間は、そのような効果が望めるが、何回も洗ううちにその処理効果も低下するという問題がある。
【００１０】
また、特許文献１，５については、上記した特許文献４，６、特許文献２，３における問題が内在する状態で採用しても結局のところ、靴内部の湿度が高いあるいは水が侵入した状態のところで通気性の改善された中敷きを採用しても目的とする効果は望めないという問題がある。
【先行技術文献】
【特許文献】
【００１１】
【特許文献１】特開２００３−５２４０６号公報
【特許文献２】特開平１０−１４６１１号公報
【特許文献３】特開平９−２４８２０６号公報
【特許文献４】実用新案登録第３１３４３１９号公報
【特許文献５】実用新案登録第３０７７４６２号公報
【特許文献６】実用新案登録第３０７１９６３号公報
【発明の概要】
【発明が解決しようとする課題】
【００１２】
解決しようとする問題点は、従来の技術では、部分的な構成の改良により通気性又は速乾性の改善が可能であるが、靴全体として通気性及び速乾性を向上させることができていなかった点、である。
【課題を解決するための手段】
【００１３】
本発明は、ポリエステルメッシュの甲被材及び中底を袋状に縫い合わせたアッパー部と、靴底の上面に凹部を形成すると共にこの凹部の表裏を貫通する孔及びこの孔と連通させるように該凹部の内面位置より突出する管を設け、さらに前記凹部を区画する区画壁を該管よりさらに高く設けたアウトソール部と、を備えると共に、アウトソール部の上面に前記中底の外底面と同一形状の金網を介在させて、アッパー部と一体化したことを最も主要な特徴とする。
【発明の効果】
【００１４】
本発明は、アッパー部は全体としてポリエステルメッシュであるので、通気性に富み、また、洗った際にはポリエステルメッシュ内に溜まった水を直ぐに排水（絞り出せる）できるので、速乾性に富むという利点がある。
【００１５】
また、アッパー部は、従来は、甲被材と中底とが例えば別部材に貼着して一体化していた（いわゆる吊り込み式という製法）ので、この貼り合わせ部位の通気性が無く、洗ったときの水はけが悪かったが、本発明は、全体としてポリエステルメッシュの甲被材と中底とを一体的に袋状に縫い合わせている、つまり全体としてポリエステルメッシュの一枚の状態となるので、この縫い合わせ部位からの水はけがよく乾燥性が向上する。
【００１６】
さらに、本発明は、アウトソール部の靴底に表裏を貫通する孔を設けているが、単に孔を設けているだけでは靴底の該孔から水が該靴底内部に侵入してしまうので、靴底の上面に凹部を設けて、この凹部の表裏面を貫通する孔及び該凹部から突出する該孔と連通する管を設けて、この管の高さでもってアウトソール部の靴底上面への水の侵入を抑制するようにしている。
【００１７】
また、本発明は、靴底の上記凹部において、孔に設けた管よりさらに高い区画壁を設けているので、仮に管の高さを越えて水が侵入しても凹部とこの区画壁によりアウトソール部の靴底上面でそれ以上水が平面的に広がることがないと共にアッパー部の中底底面に水が接触することを防止できる。
【００１８】
さらに、本発明は、アウトソール部の上記の区画壁の上面に、中底の外底面と同一形状の金網を介在させているので、アッパー部の中底とアウトソール部とが密着せず、通気性及び乾燥性が向上する。また、本発明は、仮に部分的に管の高さを越えて水が侵入して区画内の凹部に水が存在するとしても、この区画壁の高さと金網とによりアッパー部の中底の外底面が水と接触することを防止できる。
【００１９】
したがって、本発明は、アウトソール部の靴底に孔が形成されているが、ここから水が侵入して不快は履き心地になることはほとんどなく、該孔はおおよそ靴内部の通気に作用して常に快適な履き心地となる。
【００２０】
そして、本発明は、洗った際にはアッパー部がほとんどポリエステルメッシュで構成され、唯一他の部材と接触する中底では前記のとおりアウトソール部に孔が形成されて通気性が確保されているので、靴内部の速乾性に優れるという利点がある。
【図面の簡単な説明】
【００２１】
【図１】図１は、本発明の上履きの外観を示し、（ａ）は斜視図、（ｂ）は片方だけの底面図である。
【図２】図２は、本発明の上履きのアッパー部を示す図１のＡ−Ａ線断面図である。
【図３】図３は、本発明の上履きのアッパー部とアウトソール部との間に介在させる金網を示し、（ａ）はアッパー部とアウトソール部との配置関係を示す図、（ｂ）は金網全体を示す図である。
【図４】図４は、本発明の上履きのアウトソール部を示し、（ａ）は底面図、（ｂ）は（ａ）のＢ−Ｂ線断面図である。
【図５】図５は、本発明の上履きのつま先部位を示し、（ａ）は部分斜視図、（ｂ）は（ａ）のＣ−Ｃ線部分断面図である。
【図６】図６は、本発明の上履きの踵部位を示し、（ａ）は背面図、（ｂ）は（ａ）のＤ−Ｄ線部分断面図である。
【図７】図７は、本発明の上履きの足首部を示す分解斜視図である。
【図８】図８は、本発明の上履きのインソールを示し、（ａ）は平面図、（ｂ）は底面図、（ｃ）は（ａ）のＥ−Ｅ線部分断面図である。
【発明を実施するための形態】
【００２２】
本発明は、靴全体として通気性及び速乾性の両方を向上させるために、例えば、以下、図面を参照して説明する形態により実施可能である。本発明の上履き１は、アッパー部２と、アウトソール部３と、このアッパー部２とアウトソール部３との間に介在させた金網４とを備えている。
【００２３】
アッパー部２は、図２などに示すように、甲被材２Ａと中底２Ｂとが共にポリエステルメッシュとされ、該甲被材２Ａと中底２Ｂとが袋状に縫い合わせて一体とされてなる。
【００２４】
また、アッパー部２は、図５、図６に示すように、本例では例えばアッパー部２における甲被材２Ａのつま先部２Ａａ（図５）と、踵部２Ａｂ（図６）に補強材料２Ｃを設けている。
【００２５】
この補強材料２Ｃは、つま先部２Ａａにおいては特に破れやすいこと、踵部２Ａｂにおいては特に型くずれしやすいこと、を理由として設けているが、この補強材料２Ｃと甲被材２Ａを積層して設けることで乾燥性の低下を招くこととなる。
【００２６】
したがって、本発明では、つま先部２Ａａの補強材料２Ｃにおいては上面部位に、踵部２Ａｂの補強材料２Ｃにおいては該踵部２Ａｂの部位において全体高さの半分より高い位置に、各々複数の孔２Ｃａを形成している。この孔２Ｃａは補強材料２Ｃの表裏を貫通しており、甲被材２Ａを貫通するものではない。
【００２７】
このように補強材料２Ｃにのみ孔２Ｃａを設けることで、補強材料２Ｃの補強機能を損なうことなく、水の上履き１内部への侵入を防ぐことが可能となると共に甲被材２Ａの乾燥性の低下を抑制することができる。
【００２８】
また、補強材料２Ｃにおける孔２Ｃａを上履き１全体における上方部位に形成することで、水が上履き１内部に容易に侵入しないようにすることができる。
【００２９】
さらに、アッパー部２は、例えば本例では、図７に示すように、アッパー部２における甲被材２Ａの足首部に、ＥＶＡを用いてこのＥＶＡを該甲被材２Ａのポリエステルメッシュで包み込んだ緩衝部２Ｄを設けている。
【００３０】
この緩衝部は、従来はウレタンスポンジなど吸水性に富む、つまりより柔らかい材料を採用することで衝撃を和らげる効果があったが、これでは洗った際に水を含んだままとなって乾燥に時間がかかるという不具合があった。
【００３１】
そこで、本例では、この緩衝部２Ｄは従来のウレタンスポンジなどに代え、ほとんど吸水性のない、はっ水効果の高いＥＶＡとした。これにより、緩衝性はほぼ従来通りで、乾燥性を向上させることが可能となった。
【００３２】
アウトソール部３は、図１（ｂ）及び図４に示すように、ゴム材料からなり、足裏の外側に部位、すなわち歩行時に体重が移動する線に沿って、表裏を貫通するグループ化された孔３Ａが形成されている。
【００３３】
この孔３Ａは、靴底の底面に対して窪んだ外周円部３ａに星形に５個、この外周円部３ａで内周で靴底の底面と同高さで形成された内周部３ｂのさらに内周に溝３ｃを介して靴底の底面と同高さで形成された中心部３ｄに１個、の合計６個設けられている。溝３ｃは、外周円部３ａより若干深く窪んだ状態で形成されている。
【００３４】
孔３Ａは上記構成の６個を一塊（グループ化）とされて、足型全体として合計４箇所に設けられている。孔３Ａは、つま先を除く足裏において体重移動する線に沿ってグループ化した状態で設けられていることで、体重移動する毎に足の動きによるポンプ作用で通気性をより効果的に行えるようにしている。
【００３５】
また、上記のように体重が移動するということは、歩行時に足からの荷重が大きいことを意味するから、この体重が移動する線で足裏と上履き１の内部との接触と発熱は大きく、よって、最も接触と発熱量の多い部位からの通気する点で効果的なのである。
【００３６】
孔３Ａの径は、２．０〜３．０ｍｍとすればよい。孔３Ａの径を３．０ｍｍより大きくすると水が容易に多量に侵入する可能性があると共に、上履き１の内部に異物が入り込む可能性が高くなる。一方、孔３Ａの径を２．０ｍｍより小さくすると、水や異物が上履き１の内部に入る可能性は低減するものの、通気効果が低くなる。
【００３７】
靴底の平面（上面＝アッパー部２側）から見た場合、図４（ｂ）に示すように凹部３Ｂが形成されている。孔３Ａは、この凹部３Ｂの形成された範囲において該凹部３Ｂの表裏を貫通していることになる。そして、凹部３Ｂにおける（靴底の平面側）孔３Ａは、管３Ｃが該孔３Ａと連通して各々設けられている。
【００３８】
この管３Ｃは、図４（ｂ）に示すように、凹部３Ｂの内底位置より突出しているが、凹部３Ｂの窪み高さ（靴底の厚みと同等）を越えない高さとされている。また、凹部３Ｂの範囲内においては、管３Ｃを設けた孔３Ａを区画する区画壁３Ｄを該管３Ｃの高さよりさらに高く、凹部３Ｂの窪み高さ（靴底の厚みと同等）の高さで設けている。
【００３９】
金網４は、アッパー部２の中底２Ｂの裏面と、アウトソール部３の平面と、の間に介在させている。つまりアッパー部２とアウトソール部３とは、金網４を挟み込んで一体化されている。この金網４は、線径０．０５〜０．５ｍｍで１〜１．２ｍｍ四方の間隔とされたのものを採用することが望ましい。
【００４０】
この理由は、線径が０．０５ｍｍより細いと、孔３Ａから侵入した微細な異物により容易に破断してしまう可能性がある。また、線径が０．５ｍｍより太いと、上履き１自体の柔軟性を欠き、履き心地が悪くなる。
【００４１】
さらに、金網４は、１ｍｍ四方間隔より目が細かいと、線径が太い場合は上履き１自体の柔軟性を欠き、履き心地が悪くなり、１．２ｍｍ四方間隔より目が粗いと、異物がこの金網４を越えてアッパー部２側へ突出して同じく履き心地が悪くなる。
【００４２】
本例では上履き１に、さらに、図８に示す中敷き５を有している。この中敷き５は、上素材５Ａと、下素材５Ｂとを貼り合わせてなる。上素材５Ａは、アッパー部２と同様にポリエステルメッシュを採用しており、本例では足指が位置する部位と第１趾の中足骨の末梢部が位置する部位を、他の部位より０．８〜１ｍｍ低い窪み部５ａを形成している。
【００４３】
上素材５Ａにポリエステルメッシュを採用する理由は、通気性と乾燥性を確保するためであり、また、窪み部５ａを形成する理由は、正しい足の発育形成を促進して、歩行の正常化と足の異常な変形を抑制する（これらはウインドラス効果と称されている）ためである。
【００４４】
さらに、上記窪み部５ａは、他の部位より０．８ｍｍより浅いとすると骨の配置を規制する効果が少なく、また、１ｍｍより深いと足を配置したときに違和感が生じ、逆に異常な足の変形を生じさせる可能性がある。
【００４５】
一方、下素材５Ｂは、ＥＶＡを採用し、全面積に対して５〜７％の範囲の割合で、２．５〜３．０ｍｍの孔５ｂを複数形成している。下素材５ＢにＥＶＡを採用する理由は、例えアウトソール部３の上面側に異物や水が入り込んだとしてもここで遮断する（水であれば上素材５Ａへ染み込まないよう、異物であれば上素材５Ａへ突出させないように吸収する）ためである。
【００４６】
孔５ｂは、全面積に対して５％より低い割合で孔５ｂを形成すると水や異物の遮断性は向上するが、通気性に欠く可能性があり、７％より高い割合で孔５ｂを形成すると通気性は向上するが、水や異物の遮断性は低下する可能性がある。
【００４７】
また、孔５ｂは、２．５ｍｍより小さいと水や異物の遮断性は向上するが、やや通気性に欠く可能性があり、３．０ｍｍより大きいと通気性は向上するが、水や異物の遮断性が低下する可能性がある。
【産業上の利用可能性】
【００４８】
本発明は、通気性と速乾性の観点から、大抵は週に１回、週末に家に持って帰って洗うと共に週末に家に持って帰って洗うまでの週中、学校にいる間は長時間履いている学童用の上履きに適用して効果的であるが、子供用靴全般の用途にも適用できる。
【符号の説明】
【００４９】
１  上履き
２  アッパー部
２Ａ  甲被材
２Ｂ  中底
２Ｃ  補強材料
２Ｄ  緩衝部
３  アウトソール部
３Ａ  孔
３Ｂ  凹部
３Ｃ  管
３Ｄ  区画壁
４  金網
５  中敷き
５Ａ  上素材
５Ｂ  下素材
【図１】
0005468059.tif 000002
【図２】
0005468059.tif 000003
【図３】
0005468059.tif 000004
【図４】
0005468059.tif 000005
【図５】
0005468059.tif 000006
【図６】
0005468059.tif 000007
【図７】
0005468059.tif 000008
【図８】
0005468059.tif 000009